(57)【要約】  本発明は、ラジオ放送受信機又はテレビジョン受信機における放送局のソートと記憶のための方法に関する。受信した放送局は最初に任意の順序でディスプレイデバイス上のマトリックス状リストないしテーブルに表される。ユーザーがプログラムロケーションナンバーを入力する入力フィールドが各放送局毎に表される。この入力は１つ以上の数字の直接入力によって引き起こされるか、利用可能なプログラムロケーションナンバーリストからのナンバーの選択によって引き起こされる。その選択が各放送局の消去あるいはリスト末尾へのシフトを引き起こす選択フィールドは付加的に表される。一度入力若しくは選択フィールドが満たされるか選択されると、放送局は入力に従ってソートされる。その後で、ソートされたリストが記憶される。
2008517542.tif 000002
【特許請求の範囲】
【請求項１】
ラジオ放送受信機又はテレビジョン受信機において受信した放送局のリストを処理するための方法であって、放送局が各ケースにおいて固有のメモリロケーションナンバを割当てられ、該ナンバーを用いることによってユーザーが放送局を呼び出すことができる形式の方法において、
受信した放送局の未処理リストが第１の順序でディスプレイデバイス上に表され、各放送局に個別に割当てられた第１の入力フィールドが表され、該入力フィールド内にはユーザーがプログラムロケーションナンバーを入力し、与えられた命令に応じてリストがユーザー入力に従ってソートされ、ソートされたリストが記憶され、その際放送局が第２の順序でソートされるようにしたことを特徴とする方法。
【請求項２】
各放送局に個別に割当てられた第２の入力フィールドが表され、該第２の入力フィールドの選択は、消去する放送局のマーキングを引き起こす、請求項１記載の方法。
【請求項３】
各放送局に個別に割当てられた第３の入力フィールドが表され、該第３の入力フィールドの選択は、リスト末尾にシフトさせる放送局のマーキングを引き起こす、請求項１または２記載の方法。
【請求項４】
プログラムロケーションナンバーは、１つ以上の対応する数値の入力によって入力される、請求項１から３いずれか１項記載の方法。
【請求項５】
既に一度選択されているプログラムロケーションナンバーが再度選択された場合に表示が出力される、請求項４記載の方法。
【請求項６】
プログラムロケーションナンバーは、利用可能なナンバーの表示リストからの対応するナンバーの選択によって入力される、請求項１から３いずれか１項記載の方法。
【請求項７】
受信した放送局のナンバーに対応する利用可能なナンバーリスト中の最上位ナンバーが、消去のためにマークされた放送局のナンバーによって減じられる、請求項６記載の方法。
【請求項８】
利用可能なナンバーリストは、先行の入力によってそれらのナンバーがまだ選択されていないナンバーだけを含んでいる、請求項６または７記載の方法。
【請求項９】
現在選択されている放送局の現行のプログラムが背景画像として若しくはサイズダウンされた画像としてディスプレイデバイスの領域内で再生される、請求項１から８いずれか１項記載の方法。
【請求項１０】
前記放送局は、英数字による識別子ないし指示子を用いて識別可能である、請求項１から９いずれか１項記載の方法。
【請求項１１】
自動アルファベットソートがマニュアルソート操作に先行する、請求項１０記載の方法。
【請求項１２】
入力が、リモコン上若しくはラジオ放送受信機ないしテレビジョン受信機上の数字キー、カーソルコントロールキー及び／又は選択キーによって引き起こされる、請求項１から１１いずれか１項記載の方法。
【請求項１３】
マイクロプロセッサが請求項１から１２いずれか１項記載の方法の実行に適するように構成されていることを特徴とする、マイクロプロセッサ及びメモリを備えたテレビジョン受信機又はラジオ放送受信機。
【発明の詳細な説明】
【技術分野】
【０００１】
今日のテレビジョン放送受信機及びラジオ放送受信機は、多数の放送局を受信するのに適している。これらの多数の放送局は受信機内のメモリに記憶され、ユーザーによって例えば各放送局に割当てられたステーションメモリナンバー若しくはプログラムロケーションナンバーを使って再び呼出すことが可能である。なお以下の明細書では「ステーションメモリナンバー」と「プログラムロケーションナンバー」の用語は同義語として用いるものとする。
【０００２】
背景技術
最初に記憶する時あるいは放送局が後から増えた時には、放送局の検索が自動で実行され、検出された放送局がそれらの検出順序で記憶されることは周知である。このようなケースではステーションメモリナンバー若しくはプログラムロケーションナンバーがそれらの放送局に昇順で割当てられている。しかしながら検出されたこれらの放送局は必ずしもユーザーによって望まれる順序で存在しているわけではない。
【０００３】
その上さらに、検索中に検出された放送局のリストに対して、検索後のソートの時に、例えば所定のリストに従って行なったり、それらの放送局が英数字による識別子ないしは指示子によって同定できる場合にはアルファベット順に行われることも周知である。この英数字による識別子ないし指示子"デジネータ"は例えば放送局のプログラムなどと共に伝送される当該放送局の略語である。当該明細書においては「プログラム」とは伝送される放送（番組）を意味している。同様にＶＰＳ信号を用いて伝送可能な局識別子やテレテキスト信号から抽出可能な局識別子も公知である。デジタル伝送手法においては、放送局識別が相応のデータ、いわゆるプログラムデータストリームの"ヘッダ"によって行われるが、データがパケットで伝送されるケースでは、データパケットがプログラム若しくは放送局への割当てを可能にする。
【０００４】
同じように、前述したような手法によって生起された放送局の順序を、自動ソートの行われた後で手動により変更できるようにすることも公知である。手動によるソートは、放送局の選択と選択された放送局に対する新たなプログラムロケーションナンバー若しくはステーションメモリナンバの割当てによって引き起こされる。このケースではいわゆる"バブルソート方式"に相応する手法が公知であり、各ケースにおいて２つの要素の累進的な入換え処理によって所期のソート順序が最終的に達成される。
【０００５】
しかしながら前述したような公知の手法では比較的時間がかかり、エラーを生じやすい。なぜなら各ケースにおいて２つの放送局が互いに手動で入換えられるからである。しかも放送局が多数存在する時には熟練ユーザーでさえ軌道を失いやすい。
【０００６】
それゆえにテレビジョンやラジオ放送受信機において複数の放送局の改善された選択及びソート方法を得ることが望まれる。
【０００７】
請求項１に特定されている方法は、放送局検索中に受信された放送局の多様性を提供するものであり、例えばマトリックスタイプのリストないしテーブルをディスプレイデバイス上に表示させ得るものである。放送局を識別し得る情報項目は第１列（カラム）に表される。各放送局に個別に割当てられユーザーによって所望のプログラムロケーションナンバー若しくはステーションメモリナンバーが入力される入力フィールドは第２の列に表される。
【０００８】
利用可能な放送局若しくはプログラムの全てがテレビジョンないしラジオ放送受信機のスクリーン上に同時に表示されない可能性も起こり得るので、本発明の別の有利な実施例によれば、ユーザーによってそれぞれ入力されたプログラムロケーションナンバー若しくは放送局メモリナンバーが、既に割当てられているナンバーと比較される。既に割当てられたナンバーとの一致が確認されたならば、入力が受入れられないか、及び／又はそのナンバーが既に"割当てられた"ものであることがユーザーに指摘される。この目的のために例えば間違った入力を伴うフィールドが、異なった背景色を用いたり、反転若しくはフラッシング表示で強調される。
【０００９】
本発明の有利な実施例によれば、各ケースで同一的に割当てられたロケーションナンバー若しくはステーションメモリナンバーがリストないしはテーブルにおいて隣接する位置で表記される。
【００１０】
本発明の更に別の改善例によれば割当てられたばかりの放送局が、既に先行時点で割当てられたナンバー、既に割当てられているステーションメモリナンバー若しくはプログラムナンバーを獲得する。先行時点で同じプログラムナンバーを割当てられている放送局は１つ上のプログラムロケーションナンバーを獲得する。同じように、目下割当てられているものよりも上のプログラムロケーションナンバーないしステーションメモリナンバーを有している残りの放送局も以前よりも１つ上のプログラムロケーションナンバーを獲得する。換言すれば、目下割当てられているナンバーよりも上のプログラムロケーションナンバー若しくはステーションメモリナンバーを有している放送局は、１ランクシフトされる、つまりより上位のナンバーへ移行する。
【００１１】
本発明による方法の別の有利な実施例によれば、各放送局がリストの末尾にシフトされるべきであることをユーザーが入力する入力フィールド若しくは選択フィールドを含んでいる第３の列が表記される。このケースでは実際に割当てられているステーションメモリナンバー若しくはプログラムロケーションナンバーは重要ではない。この機能は、例えばユーザーがステーションメモリナンバー若しくはプログラムロケーションナンバーを割当てる時に、その放送局が何度も検出されたことやユーザーにとって興味がないことなどを確認するのに役立つ。
【００１２】
本発明の別の有利な実施例によれば、各放送局に個別に割当てられ、それを用いることによってユーザーが消去したい１つ以上の放送局を選択することのできる選択フィールド若しくは入力フィールドを表す第４の列が表記される。
【００１３】
放送局をリフト末尾にシフトさせることの選択又は消去させるための選択は有利には選択フィールド（これは例えば後から×印若しくはチェック印の付される"チェックボックス"として周知である）の相応の選択によって実施される。
【００１４】
本発明の有利な実施例によれば、現在のプログラムか若しくは処理のために別個に選択された放送局の目下のプログラムから形成される静止画が、背景画像として又はサイズダウンされた画像としてスクリーン領域に表示される。このことはユーザーに指示子を伝送しない放送局を識別できるようにさせ、あるいは消去のために暗号化されたプログラムを有する放送局が選択できるようにさせる。さらにこのことは、異なる周波数で伝送され、信号品質に応じて選択されるべき放送局の探索中に幾度も検出された同じ放送局のプログラム、相応に割当てられるべきプログラムロケーションナンバー若しくはステーションメモリナンバーに対して可能にさせる。
【００１５】
本発明の別の実施例によれば、例えばアルファベット順で自動プリソートが実行される。
【００１６】
ユーザーは所期の放送局メモリナンバー若しくはプログラムロケーションナンバーが入力された後はソート停止を開始できる。相応のコマンド実行のために例えばリモコン上にキーあるいはスクリーン上に選択領域が設けられる。ソート実行の繰り返しは、ステップ毎に実現すべき放送局の所期の順序を可能にさせる。このことは多数のエントリーを有している放送局リストのケースでは特に有利になる。
【００１７】
この方法は入力を記憶するための命令によって終了する。代替的に記憶機能の呼び出しは、その時点までに作用する入力と一致する先行ソートを自動的に生じさせ得る。当該方法の実行の中止は保存動作を引き起こさない。その時点までの全ての入力は廃棄される。
【００１８】
１つ以上の放送局に対し、テーブルの第２列がそれぞれのケースでプログラムロケーションナンバーのエントリーを含まず、それぞれ第３列にフィールドが存在しないか若しくは第４列が選択されていなかった場合には、当該方法が終了した時に相応する放送局はリスト末尾に自動的にシフトされる。それらの放送局には特定のソートは作用しない。
【００１９】
例えば第３列若しくは第４列の選択フィールドの１つが選択されたならば、プログラムロケーションナンバー又はステーションメモリナンバーを入力することは必要ない。さらに本発明の１つの実施例によれば、第３列若しくは第４列の選択フィールドが交互にしか選択できない。本発明による方法の別の実施例によれば、第３列若しくは第４列の選択フィールドの１つの選択が、場合によっては先行の時点で生じていたそれぞれ他の列の選択フィールドの選択の解除を引き起こす。その上更に選択フィールドの選択に先駆けて入力されたなんらかのメモリロケーションナンバーは消去されて他の放送局に割当てられる。本発明の更に別の実施例によれば、ユーザーは、それぞれ他の列の選択フィールドの選択ができるようになる前に１つの列の選択をキャンセルしなければならない。
【００２０】
プログラムロケーションナンバーは、ナンバーキーを備えたリモコンや、カーソルキーによってコントロールされる選択メニューを用いて周知のやり方で入力される。テレビジョン放送受信機若しくはラジオ放送受信機の装備に応じて機器上での入力も可能である。
【００２１】
本発明の１つの実施例によれば、放送局が選択されると、まだ利用可能なステーションメモリナンバー又はプログラムロケーションナンバーからなるリストが現れる。既に選択されているステーションメモリナンバー又はプログラムロケーションナンバーは出現しない。放送局検索中に見つけられたプログラムナンバーに応じて適切に表された最高位ナンバーは、既に先行の時点で削除を示されたステーションナンバーによって減じられる
この方法はマイクロプロセッサとメモリを備えたラジオ受信機においてもＴＶ受信機においても有利に実行することが可能である。この場合はマイクロプロセッサが当該方法のステップを例えばソフトウエアルーチンとして実行するように適応化されている。
【００２２】
以下では、図面を参照して本発明を説明する。
図１はソートされていない放送局リストの例を示した図であり、
図２は記憶前のソートされた放送局リストの例を示した図であり、
図３は記憶後のソートされた放送局リストの例を示した図であり、
図４はプログラムが選択された後の利用可能なプログラムロケーションナンバーリストの例を示した図である。
【００２３】
実施例
図１には放送局の検索後に出現するような任意の順序の複数の放送局が伴われたテーブルが例示的に示されている。"メモリ"列においてはユーザーが放送局に対するプログラムロケーションナンバー若しくはメモリロケーションナンバーを割当てる。これらの放送局は"放送局"列にて表記されている文字と数字の組合わせによって識別できる。ユーザーは選択フィールド"消去"の選択によって消去指示子"ＸＸＸ"を伴う放送局を選択する。ユーザーは選択フィールド"末尾に移動"の選択によって移動指示子"ＹＹＹ"を伴う放送局を選択する。選択フィールド"入力"は、最下端の行に存在しており、この選択フィールドは入力に基づいてソートを引き起こす。テーブル内のナビゲーション（移動）は例えば機器若しくはリモコン上の対応するカーソルキーないし矢印キーによって引き起こされる。
【００２４】
図２にはソートされた順序の放送局を伴ったテーブルの例が示されている。ソートは図１のテーブルにおける入力に従って生じる。消去させる指示子"ＸＸＸ"を伴う放送局と、リスト末尾にシフトさせる指示子"ＹＹＹ"を伴う放送局は、最初にテーブル末尾までシフトされ、その場合それらの元の順序は変更されない。
【００２５】
図３には記憶後のソートされた順序の放送局を伴ったテーブルの例が示されている。この場合図２のテーブルからの消去すべき指示子"ＸＸＸ"を伴った放送局はもはや存在していない。リスト末尾にシフトさせる指示子"ＹＹＹ"を伴った放送局はリストの最後の箇所を占め、空いている次のプログラムロケーション（ここでは"６"）を獲得する。
【００２６】
図４には利用可能なプログラムロケーションナンバーの選択リストの例によるテーブルが示されている。ここでの放送局の順序は図１に示されているテーブルのものに相応している。第１のステップには指示子"ＡＲＤ"を伴う放送局の選択が含まれている。これは選択された第１の放送局である。従ってリスト内の放送局の総数に相応して全部で７つのプログラムロケーションが利用可能である。それに応じて利用可能なプログラムロケーションの全てが表示される。第２のステップでは、ユーザーが指示子"Ｎ３"を伴う放送局を呼出している。プログラムロケーション"１"は既に指示子"ＡＲＤ"を伴う放送局に割当てられているので、ここではプログラムロケーション"２"〜"７"だけがまだ利用可能である。この例ではユーザーはプログラムロケーションにナンバー"３"を選んでいる。これによって次に利用可能なプログラムロケーションは"２"と"４"〜"７"になる。そしてこの例でユーザーはプログラムロケーションにナンバー"４"を選んでいる。第４のステップでは、ユーザーが指示子"ＳＡＴ"を伴う放送局を呼出している。ここでまだ利用可能なプログラムロケーションは"２"と"５"〜"７"である。そしてこの例でユーザーはプログラムロケーションにナンバー"５"を選んでいる。第５のステップではユーザーは指示子"ＸＸＸ"を伴う放送局を呼出している。まだ利用可能なプログラムロケーションは"２"と"６"と"７"だけである。この例ではユーザーはリストからの放送局の消去を望んでおり、プログラムロケーションナンバーは選択されていない。第６のステップではユーザーは指示子"ＹＹＹ"を伴う放送局を呼出している。まだ利用可能なプログラムロケーションナンバーは"２"と"６"のみである。なぜなら指示子"ＸＸＸ"を伴う放送局の消去は利用可能な総放送局数を１つ減らすからである。ユーザーはこの放送局をリスト末尾にシフトさせることを望んでおり、プログラムロケーションナンバーは選択されていない。第７のステップではユーザーは指示子"ＺＤＦ"を伴う放送局を呼出している。まだ利用可能なロケーションは"２"と"６"である。というのもユーザーは先のステップにおいてプログラムロケーションナンバーを定めなかったからである。そしてこの例でユーザーはプログラムロケーションにナンバー"２"を選んでいる。図３のテーブルにはソート及び記憶後の入力結果が表されている。
【図面の簡単な説明】
【００２７】
【図１】ソートされていない放送局リストの例を示した図
【図２】記憶前のソートされた放送局リストの例を示した図
【図３】記憶後のソートされた放送局リストの例を示した図
【図４】プログラムが選択された後の利用可能なプログラムロケーションナンバーリストの例を示した図
【図１】
2008517542.tif 000003
【図２】
2008517542.tif 000004
【図３】
2008517542.tif 000005
【図４】
2008517542.tif 000006
【国際調査報告】
2008517542.tif 000007
2008517542.tif 000008